(57)【要約】【課題】携帯電話機の機能設定を簡易に達成する。【解決手段】サイド入力キー１６により、携帯電話機１０の簡易設定モードを起動する。この起動をバイブレータ２０等から報知する。サイド入力キー２６の押下回数を記憶する。サイド入力キー２６の押下が１秒を超えても行われないとき、押下回数設定の終了となる。終了した設定の報知をバイブレータ２０等によって行う。その報知が設定した押下回数が設定しようとする機能対応の押下回数となっていないとき、上記起動後からの処理の繰り返しに入る。上記報知が設定した押下回数が設定しようとする機能対応の押下回数に達したとき、当該押下回数対応の機能設定を行う。【選択図】　　　　図３
2004140708.tif 000002
【特許請求の範囲】
【請求項１】
所定の機能をユーザが簡易に設定することができるように構成された情報端末装置であって、
前記所定の機能を設定指示するための機能設定キーと、
該機能設定キーを介して入力された前記所定の機能の設定指示が正しくなされたか否かを判断する判断手段と、
該判断手段が前記設定指示は正しくなされたと判断したときは、その旨を報知する第１の報知音又は第１の報知振動を出力する一方、前記判断手段が前記設定指示は正しくなされなかったと判断したときは、その旨を報知する第２の報知音又は第２の報知振動を出力する設定完了／未完了報知手段とを備えたことを特徴とする情報端末装置。
【請求項２】
前記判断手段が前記設定指示は正しくなされなかったと判断したときは、前記所定の機能の再度の設定指示を待ち受けるスタンバイ状態に戻る構成になされていることを特徴とする請求項１記載の情報端末装置。
【請求項３】
前記機能設定キーは、ユーザ設定モード起動手段を有して構成されていることを特徴とする請求項１又は２記載の情報端末装置。
【請求項４】
前記判断手段は、前記機能設定キーの押下毎の設定指示を蓄積記憶する記憶手段と、該記憶手段に記憶された設定指示と設定しようとする前記所定の機能のための設定指示とを比較する比較手段とから成ることを特徴とする請求項１、２又は３記載の情報端末装置。
【請求項５】
前記機能設定キーを介して入力された前記所定の機能の設定指示は、前記機能設定キーの押下回数又は複数の前記機能設定キーの押下パターンであることを特徴とする請求項１、２、３又は４記載の情報端末装置。
【請求項６】
前記機能設定キーを介して入力された前記所定の機能の設定指示は、所定時間内に行われることを特徴とする請求項１乃至５のいずれか一に記載の情報端末装置。
【請求項７】
前記機能設定キーを介して入力された前記所定の機能の設定指示は、終了キーの押下で終了されることを特徴とする請求項１乃至５のいずれか一に記載の情報端末装置。
【請求項８】
前記機能設定キーは、前記情報端末装置の筐体の外面に配設されていることを特徴とする請求項１乃至７のいずれか一に記載の情報端末装置。
【請求項９】
前記機能設定キーは、前記情報端末装置の筐体の側面に配設されていることを特徴とする請求項８記載の情報端末装置。
【請求項１０】
前記設定完了／未設定完了報知手段は、バイブレータ及び若しくはスピーカーであることを特徴とする請求項１乃至９のいずれか一に記載の情報端末装置。
【請求項１１】
所定の機能をユーザが機能設定キーを用いて簡易に設定することができるように構成された情報端末装置の当該ユーザによる機能設定方法であって、
前記所定の機能を設定する設定指示を前記機能設定キーから出力し、
前記機能設定キーから出力された前記所定の機能の設定指示が正しくなされたか否かを判断し、
該判断が前記設定指示は正しくなされたときは、その旨を報知する第１の報知音又は第１の報知振動を出力する一方、前記判断が前記設定指示は正しくなされなかったときは、その旨を報知する第２の報知音又は第２の報知振動を出力することを特徴とする情報端末装置の機能設定方法。
【請求項１２】
前記判断が前記設定指示は正しくなされなかったときは、前記所定の機能の再度の設定指示を待ち受けるスタンバイ状態に戻ることを特徴とする請求項１１記載の情報端末装置の機能設定方法。
【請求項１３】
前記判断は、前記機能設定キーの押下毎の設定指示を蓄積記憶し、記憶された設定指示と設定しようとする前記所定の機能のための設定指示とを比較して行うことを特徴とする請求項１１又は１２記載の情報端末装置の機能設定方法。
【請求項１４】
前記機能設定キーを介して入力された前記所定の機能の設定指示は、前記機能設定キーの押下回数又は複数の前記機能設定キーの押下パターンであることを特徴とする請求項１１、１２又は１３記載の情報端末装置の機能設定方法。
【請求項１５】
前記機能設定キーを介して入力された前記所定の機能の設定指示は、所定時間内に行われることを特徴とする請求項１１、１２、１３又は１４のいずれか一に記載の情報端末装置。
【請求項１６】
前記機能設定キーを介して入力された前記所定の機能の設定指示は、終了キーの押下で終了されることを特徴とする請求項１１乃至１５のいずれか一に記載の情報端末装置の機能設定方法。
【請求項１７】
請求項１乃至１０のいずれか一に記載の情報端末装置の各種手段を実施させるための機能設定制御プログラム。
【請求項１８】
コンピータを制御して請求項１１乃至１６のいずれか一に記載される情報端末装置の機能設定方法を実施させるための機能設定制御プログラム。
【発明の詳細な説明】
【０００１】
【発明の属する技術分野】
この発明は、情報端末装置及びその機能設定方法並びに機能設定制御プログラムに関し、詳しくはキーの位置を確認することなくキーを操作し、機能を設定することのできる情報端末装置及びその機能設定方法並びに機能設定制御プログラムに関する。
【０００２】
【従来の技術】
従来の携帯電話機には、種種の機能が装備されている。それら機能の設定は、使用者が携帯電話機の表示部に表示された画面を見ながら、複雑なキー操作で行うように構成されている。
その従来の機能設定方法の１つとして、機能毎に番号等が割り振られており、機能の設定時に設定したい番号をキーの押下により入力すれば、その機能を設定することができるという機能設定方法がある。
【０００３】
また、特許文献１には、機能割当キーから選択しようとする機能の機能番号を入力し、機能割当キーを所定時間の間押下し続けると、機能割当が完了し、また、機能の切り替えに割り当てられている押下回数だけ機能割当キーを押下することにより、機能の切り替えを行うことのできる技術が記載されている。
【０００４】
また、特許文献２には、画面付きタッチキーボードにおいて、複数あるタッチキーボードの画面が用意されているが、そのうちのタッチキーボードの画面のうちにタッチキーの押下回数が多いタッチキーボードの画面があれば、押下回数が多いタッチキーボードの画面を登録し、当該タッチキーボードの画面に係る特定の条件によって読み出してそのタッチキーボードの画面を初期画面として表示する技術及びタッチキーの押下回数が多いとき当該タッチキーのタッチパネル上の位置を変更する技術が記載されている。
また、特許文献３には、複数の手動スイッチの操作により得られる操作パターンを監視しながら、所定の操作パターンが得られたとき当該操作パターンに予め割り当てられている印刷機能を設定する技術が記載されている。
【０００５】
【特許文献１】
特開平１０−２４３０６２号公報
【特許文献２】
特開平８−３２８７３２号公報
【特許文献３】
特開２０００−４３３６６号公報
【０００６】
【発明が解決しようとする課題】
しかしながら、上記いずれの技術においても、機能の設定に用いるキーの操作は、表示画面や当該キーを見ながら、その複雑なキーの操作を必要とすることなく、所定の機能の設定を行うことができる形式の技術である。
したがって、表示画面や当該キーを見ることなしに、所定の機能の設定を行いたいという機能設定環境においては、上記いずれの技術も適していない。
【０００７】
この発明は、上述の事情に鑑みてなされたもので、表示画面やキーの位置を確認することなくキーを操作し、機能を設定し得る情報端末装置及びその機能設定方法並びに機能設定制御プログラムを提供することを目的としている。
【０００８】
【課題を解決するための手段】
上記課題を解決するために、請求項１記載の発明は、所定の機能をユーザが簡易に設定することができるように構成された情報端末装置に係り、上記所定の機能を設定指示するための機能設定キーと、該機能設定キーを介して入力された上記所定の機能の設定指示が正しくなされたか否かを判断する判断手段と、該判断手段が上記設定指示は正しくなされたと判断したときは、その旨を報知する第１の報知音又は第１の報知振動を出力する一方、上記判断手段が上記設定指示は正しくなされなかったと判断したときは、その旨を報知する第２の報知音又は第２の報知振動を出力する設定完了／未完了報知手段とを備えたことを特徴としている。
【０００９】
請求項２記載の発明は、請求項１記載の情報端末装置に係り、上記判断手段が上記設定指示は正しくなされなかったと判断したときは、上記所定の機能の再度の設定指示を待ち受けるスタンバイ状態に戻る構成になされていることを特徴としている。
【００１０】
請求項３記載の発明は、請求項１又は２記載の情報端末装置に係り、上記機能設定キーは、ユーザ設定モード起動手段を有して構成されていることを特徴としている。
【００１１】
請求項４記載の発明は、請求項１、２又は３記載の情報端末装置に係り、上記判断手段は、上記機能設定キーの押下毎の設定指示を蓄積記憶する記憶手段と、該記憶手段に記憶された設定指示と設定しようとする上記所定の機能のための設定指示とを比較する比較手段とから成ることを特徴としている。
【００１２】
請求項５記載の発明は、請求項１、２、３又は４記載の情報端末装置に係り、上記機能設定キーを介して入力された上記所定の機能の設定指示は、上記機能設定キーの押下回数又は複数の上記機能設定キーの押下パターンであることを特徴としている。
【００１３】
請求項６記載の発明は、請求項１乃至５のいずれか一に記載の情報端末装置に係り、上記機能設定キーを介して入力された上記所定の機能の設定指示は、所定時間内に行われることを特徴としている。
【００１４】
請求項７記載の発明は、請求項１乃至５のいずれか一に記載の情報端末装置に係り、上記機能設定キーを介して入力された上記所定の機能の設定指示は、終了キーの押下で終了されることを特徴としている。
【００１５】
請求項８記載の発明は、請求項１乃至７のいずれか一に記載の情報端末装置に係り、上記機能設定キーは、上記情報端末装置の筐体の外面に配設されていることを特徴としている。
【００１６】
請求項９記載の発明は、請求項８記載の情報端末装置に係り、上記機能設定キーは、上記情報端末装置の筐体の側面に配設されていることを特徴としている。
【００１７】
請求項１０記載の発明は、請求項１乃至９のいずれか一に記載の情報端末装置に係り、上記設定完了／未設定完了報知手段は、バイブレータ及び若しくはスピーカーであることを特徴としている。
【００１８】
請求項１１記載の発明は、所定の機能をユーザが機能設定キーを用いて簡易に設定することができるように構成された情報端末装置の当該ユーザによる機能設定方法に係り、上記所定の機能を設定する設定指示を上記機能設定キーから出力し、上記機能設定キーから出力された上記所定の機能の設定指示が正しくなされたか否かを判断し、該判断が上記設定指示は正しくなされたときは、その旨を報知する第１の報知音又は第１の報知振動を出力する一方、上記判断が上記設定指示は正しくなされなかったときは、その旨を報知する第２の報知音又は第２の報知振動を出力することを特徴としている。
【００１９】
請求項１２記載の発明は、請求項１１記載の情報端末装置の機能設定方法に係り、上記判断が上記設定指示は正しくなされなかったときは、上記所定の機能の再度の設定指示を待ち受けるスタンバイ状態に戻ることを特徴としている。
【００２０】
請求項１３記載の発明は、請求項１１又は１２記載の情報端末装置の機能設定方法に係り、上記判断は、上記機能設定キーの押下毎の設定指示を蓄積記憶し、記憶された設定指示と設定しようとする上記所定の機能のための設定指示とを比較して行うことを特徴としている。
【００２１】
請求項１４記載の発明は、請求項１１、１２又は１３記載の情報端末装置の機能設定方法に係り、上記機能設定キーを介して入力された上記所定の機能の設定指示は、上記機能設定キーの押下回数又は複数の上記機能設定キーの押下パターンであることを特徴としている。
【００２２】
請求項１５記載の発明は、請求項１１、１２、１３又は１４のいずれか一に記載の情報端末装置に係り、上記機能設定キーを介して入力された上記所定の機能の設定指示は、所定時間内に行われることを特徴としている。
【００２３】
請求項１６記載の発明は、請求項１１乃至１５のいずれか一に記載の情報端末装置の機能設定方法に係り、上記機能設定キーを介して入力された上記所定の機能の設定指示は、終了キーの押下で終了されることを特徴としている。
【００２４】
請求項１７記載の発明は、請求項１乃至１０のいずれか一に記載の情報端末装置の各種手段を実施させるための機能設定制御プログラムに係る。
【００２５】
請求項１８記載の発明は、コンピータを制御して請求項１１乃至１６のいずれか一に記載される情報端末装置の機能設定方法を実施させるための機能設定制御プログラムに係る。
【００２６】
【発明の実施の形態】
以下、図面を参照して、この発明の実施の形態について説明する。説明は、実施例を用いて具体的に説明する。
◇第１実施例
図１は、この発明の第１実施例である携帯電話機の外部構造を示す図、図２は、同携帯電話機の電気的な構成を示す概略図、図３は、同携帯電話機の処理手順を示すフローチャート、図４は、同携帯電話機の簡易設定モード起動時における表示画面の状態を示す図、図５は、同携帯電話機の簡易設定モードで行われた押下回数カウント処理の押下回数確認時における表示画面の状態を示す図、また、図６は、同携帯電話機の簡易設定モードで処理される機能設定時における表示画面の状態を示す図である。
【００２７】
この実施例の携帯電話機１０は、携帯電話機を開いた状態で機能設定をカウントキーの押下回数に基づいて簡易に行える装置に係り、図１に示すように、携帯電話機１０の主筐体１１に入力サイドキー１６及び２６、スピーカー２２並びに入力キー２４が設けられ、副筐体１２に主表示部１８及びバイブレータ２０が設けられると共に、図２に示すように、メモリ２５が主筐体１１又は副筐体１２に設けられると共に、上記入力サイドキー１６及び２６、スピーカー２２、入力キー２４、主表示部（ＬＣＤ）１８、バイブレータ２０並びにメモリ２５に接続されて後述する処理手順に従う処理を実行する制御回路２３が設けられて構成されている。メモリ２５は、ＲＯＭ２５Ａ及びＲＡＭ２５Ｂから構成されている。
【００２８】
制御回路２３は、ＣＰＵから構成され、Ｒ０Ｍ２５Ａに記憶されたプログラムを電源投入時にＲＯＭ２５ＡからＲＡＭ２５Ｂに読み出し、ＲＡＭ２５Ｂのプログラムを順次ＣＰＵで実行することにより、図３に示す処理手順を順に遂行するようにして構成されている。
また、制御回路２３には、アンテナ２９が接続されている。
【００２９】
入力サイドキー１６、２６及びスピーカー２２は、携帯電話機１０の主筐体１１の側壁１３に設けられ、入力キー２４が主筐体１１の内面壁１４に設けられている。
主表示部１８は、携帯電話機１０の副筐体１２の内面壁１５に設けられ、バイブレータ２０は、その振動音を使用者が聴取可能に副筐体１２の内部に設けられている。副筐体１２は、主筐体１１に対して軸１７で回動自在に軸支されている。
そして、制御回路２３が、主筐体１１乃至副筐体１２の内部に設けられている。
【００３０】
次に、図１乃至図６を参照して、この実施例の動作について説明する。
先ず、携帯電話機１０を開いた状態にする（図１）。携帯電話機のカウントキーのキー押下回数（以下、押下回数という）（設定指示の１つ）と携帯電話機に装備されている機能との対応関係は、予め決められており、その押下回数はＲＯＭ２５Ａの押下回数登録領域に登録されている。そして、カウントキーが５秒を超えて押下されないときその旨を示す信号を出力する第１のタイマ１３Ａ（図２には図示せず）の計時時間を５秒に設定し、カウントキーが１秒を超えて押下されないときその旨を示す信号を出力する第２のタイマ１３Ｂ（図２には図示せず）の計時時間を１秒に設定する。また、ＲＡＭ２５Ｂの押下回数記憶領域をクリアする。
【００３１】
携帯電話機１０に所定の機能を設定しようとするとき、携帯電話機１０の動作モードを簡易設定モードに設定する。
この簡易設定モードへの設定は、携帯電話機１０の主筐体１１の側壁１３に配設されているサイド入力キー１６を押下する。これにより、簡易設定モードが起動されて携帯電話機１０の動作モードが簡易設定モードに設定される（図３のステップＳ１）と同時に、第１のタイマ１３Ａのカウントアップ動作が開始される。
簡易設定モードが起動されると、その起動が行われた旨の可視的表示が、携帯電話機の主表示部１８に行われる（図４）と同時に、音響的報知、例えば、バイブレータ２０による簡易設定モードが起動された旨を表す振動音若しくはスピーカー２２から簡易設定モードが起動された旨を表すトーン音の放音が操作者に対して行われる（図３のＳ２）。
【００３２】
上記起動後、５秒以内に、すなわち、第１のタイマ１３Ａが５秒を超えて計時してしまわない前に、カウントキーとして割り当てられている入力キー２４又はサイド入力キー２６を押下する。この押下により、押下回数カウント処理が開始される（図３のＳ３のＹ）と同時に、第２のタイマ１３Ｂのカウントアップ動作が開始される。
なお、上記起動後、５秒以内にカウントキーの押下が行われない、すなわち、第１のタイマ１３Ａが５秒以上を計時し、出力された信号に応答して（図３のＳ３のＮ）、可視的報知、例えば、表示部に押下回数カウント処理のカウントキー２４又は２６の押下なしの表示が行われると同時に、音響的報知、例えば、バイブレータ２０による押下なしを現す振動音若しくはスピーカー２２から「カウントキーの押下がありません」という音声ガイダンスが操作者に対して行われて簡易設定モードは終了する（図３のＳ９、Ｓ１０）。
【００３３】
押下回数カウント処理の開始後、設定しようとする機能について、予め登録されている機能に予め割り当てられている押下回数だけのカウントキーの押下を操作者が行う。この場合の押下間隔は、例えば、１秒以内の間隔で行う。
その押下毎に（図３のＳ４のＹ）、記憶されている押下回数を押下回数カウンタ（ＲＡＭ２５Ｂの一部領域に設けられたカウント領域）１だけカウントアップしてカウントアップした押下回数でＲＡＭ２５Ｂの押下回数記憶領域の値を更新する（図３のＳ５）。
【００３４】
押下間隔が、第２のカウンタ１３Ｂが１秒を超えて計時したとき、すなわち、押下回数カウント処理における押下回数が携帯電話機１０において設定しようとする機能に予め割り当てられている押下回数と一致したと意識してその押下をせずに押下回数生成の終了となったとき（図３のＳ４のＮ）、可視的な報知、例えば、主表示部１８に図５に示すような押下回数確認の表示を行うと同時に、音響的報知、例えば、押下回数分のバイブレータ２０による所定回数、例えば、２回の振動音の発生若しくはスピーカー２２から「カウントキーが、何々回数押下されました」、例えば、「カウントキーが、２回押下されました」という音声ガイダンスの放音を行って終了結果を操作者に知らせる（図３のＳ６）。
【００３５】
これらの報知により、押下回数が、なお、設定しようとする機能に予め割り当てられている押下回数と一致していないならば（図３のＳ７のＮ）、サイド入力キー２６を押下して簡易設定モードの起動後に行われた報知動作、そして新たな押下回数カウント処理に入らせる（図３のＳ３、Ｓ４等）。
押下回数が、設定しようとする機能に予め割り当てられている押下回数と一致したならば（図３のＳ７のＹ）、当該押下回数に対応する機能の設定を実行する（図３のＳ８）。
【００３６】
そして、機能設定済みの可視的報知、例えば、主表示部１８に図６に示すような機能設定実行の表示を行うと同時に、音響的報知、例えば、バイブレータ２０による当該機能の設定完了を表す振動音若しくはスピーカー２２から「設定しようとした機能、例えば、バイブレータＯＮの設定が完了しました」という音声ガイダンスの放音を行って機能設定完了を操作者に知らせる（図３のＳ９）。
この報知後、簡易設定モードは、自動的に終了する（図３のＳ１０）。
【００３７】
次に、「バイブレータＯＮ設定」の例を説明する。
簡易設定モードが起動され（図３のＳ１）、簡易設定モードの合図がされ（図３のＳ２）、簡易設定モードの起動から５秒以内に（図３のＳ３のＹ）、カウントキー２４又は２６の押下を順次１秒以内に２回行う（図３のＳ４、Ｓ５）。
カウントキー２４又は２６の順次の２回の押下が行われ、２回目の押下が行われてから、１秒を超えてカウントキー２４又は２６の押下が行われないと、カウントキー押下回数設定の終了となる（図３のＳ４のＮ）。
【００３８】
そして、設定されたカウントキー押下回数に対応する結果確認が、主表示部１８及びバイブレータ２０若しくはスピーカ２２によって使用者に報知される（図３のＳ６）。
この報知により、カウントキー押下回数がＯＫであるならば（図３のＳ７のＹ）、２回のカウントキー押下回数に対応する「バイブレータＯＮ設定」を実行する（図３のＳ８）。
「バイブレータＯＮ設定」の完了が、主表示部１８及びバイブレータ２０若しくはスピーカー２２によって使用者に報知されて（図３のＳ９）簡易設定モードは自動的に終了する（図３のＳ１０）。
【００３９】
このように、この実施例の構成によれば、携帯電話機の操作し易い位置にカウントキーを配設し、そのカウントキーを押下し、押下回数が設定しようとする機能に予め割り当てられた押下回数となったと意識して押下回数カウント設定処理を終了させたが、その報知が携帯電話機のバイブレータ若しくはスピーカーから行われたとき、なお、押下回数が設定しようとする機能に予め割り当てられた押下回数になっていなければ、新たなカウントキーの押下を試行させ、その試行によって押下回数が設定しようとする機能に予め割り当てられた押下回数になったならば、携帯電話機に押下回数対応の機能を設定するようにしたので、携帯電話機のカウントキーを見ることなしに、並行して別の作業をしながら携帯電話機に機能設定を行いたい場合に、複雑なキー操作を要することなく機能設定を携帯電話機に簡易に設定することができる。
【００４０】
◇第２実施例
図７は、この発明の第２実施例である携帯電話機の外部構造を示す図である。また、上記携帯電話機の電気的な構成及び処理手順を示すフローチャートは、それぞれ、図２及び図３と同じである。
この実施例の構成が、第１実施例のそれと大きく異なる点は、携帯電話機を折り畳んだ状態で、携帯電話機の機能設定を簡易に行えるようにした点である。
すなわち、この実施例の携帯電話機１０Ａ（図２及び図７には図示せず）は、第１実施例における携帯電話機１０のカウントキーとして用いられる入力キー２４又はサイド入力キー２６を、第２実施例においては、サイド入力キー３６とし、副筐体１２の主表示部１８を携帯電話機１０Ａの背面表示部３０として配設し、第１実施例で主表示部１８に表示した内容の各々を背面表示部３０に表示させるようにして構成される。
【００４１】
また、主筐体１１の側壁１３に設けられたサイド入力キー１６は、第２実施例においては、サイド入力キー３２として示し、第１実施例のバイブレータ２０及びスピーカー２２は、第２実施例においては、バイブレータ３４及びスピーカー３８として示してある。
この構成を除くこの実施例の各部の構成は、第１実施例と同一構成であるので、それらの各部には図２と同一の参照符号を付してその説明を省略する。
【００４２】
次に、図２、図３及び図７を参照して、この実施例の動作について説明する。
この実施例では、携帯電話機は折り畳んだ状態に置かれる。
この携帯電話機における簡易設定モードの起動及びその報知は、第１実施例の携帯電話機１０におけるそれとほぼ同じである（図３のＳ１、Ｓ２）。その差違は、簡易設定モードの起動にサイドキー３２を使用し、その起動に係る可視的な報知を携帯電話機１０Ａの背面表示部３０に行い、音響的報知をバイブレータ３４若しくはスピーカー３８で行うことである。
【００４３】
起動後の押下回数カウント処理の開始から押下回数が設定しようとする機能に予め割り当てられた押下回数と一致していない場合の処理、押下回数が設定しようとする機能に予め割り当てられた押下回数になった場合の処理、そしてその報知についても、第１実施例の携帯電話機１０におけるそれとほぼ同じである（図３のＳ３、Ｓ４、Ｓ５、Ｓ６）。その差違は、カウントキーにサイドキー３２を使用し、可視的な報知を携帯電話機の背面表示部３０に行い、音響的報知をバイブレータ３４若しくはスピーカー３８で行うことである。
【００４４】
押下回数が、設定しようとする機能に予め割り当てられた押下回数と一致したならば（図３のＳ７のＹ）、第１実施例の携帯電話機１０と同様に、当該押下回数に対応する機能設定を実行し（図３のＳ８）、その報知もして（図３のＳ９）簡易設定モードを終了する（図３のＳ１０）。
【００４５】
次に、「バイブレータＯＮ設定」の例を説明すると、この携帯電話機を閉じた状態での設定においても、第１実施例での携帯電話機を開いた状態で設定する場合とほぼ同じである。
その差違は、簡易設定モードの起動にサイド入力キー３２を用い、カウントキーとしてサイド入力キー３６を用いること、可視的報知に背面表示部３０が用いられ、音響的報知にバイブレータ３４及びスピーカ３８が用いられることである。
【００４６】
このように、この実施例の構成によれば、携帯電話機の操作し易い位置にカウントキーを配設し、そのカウントキーを押下し、押下回数が設定しようとする機能に予め割り当てられた押下回数となったと意識して押下回数カウント設定処理を終了させたが、その報知が携帯電話機のバイブレータ若しくはスピーカーから行われたとき、なお、押下回数が設定しようとする機能予め割り当てられた押下回数になっていなければ、新たなカウントキーの押下を試行させ、その試行によって押下回数が設定しようとする機能に予め割り当てられた押下回数になったならば、携帯電話機に押下回数対応の機能を設定するようにしたので、携帯電話機を折り畳んだ状態で携帯電話機のカウントキーを見ることなしに並行して別の作業をしながら機能設定を携帯電話機に行いたい場合に、複雑なキー操作を要することなく機能設定を携帯電話機に簡易に設定することができる。
【００４７】
◇第３実施例
図８は、この発明の第３実施例である携帯電話機の処理手順を示すフローチャート、図９は、同携帯電話機の簡易設定モード起動時における表示画面の状態を示す図、図１０は、同携帯電話機の押下パターン設定処理での押下パターン確認時における表示画面の状態を示す図、また、図１１は、同携帯電話機の機能設定時における表示画面の状態を示す図である。また、この実施例の携帯電話機の外部構造及び電気的な概略構成は、図１及び図２と同じである。
【００４８】
この実施例の構成が、第１実施例のそれと大きく異なる点は、携帯電話機の機能設定において、その機能とキーのキー押下パターン（以下、押下パターンという）（設定指示の１つ）とを対応付けて機能設定を行うようにした点である。
すなわち、この実施例の携帯電話機１０Ｂ（図１及び図２には図示せず）は、第１実施例の携帯電話機１０と機械的な構造及び電気的な構成上に相違はないが、第１実施例において簡易設定モードの起動キーとして用いられたサイド入力キー１６とカウントキーとして用いられたサイド入力キー２６とを所定の順序で押下した場合に生成される押下パターンが携帯電話機の所定の機能に予め割り付けられており、両サイド入力キーの押下パターンが、予め割り当てられている押下パターンになったとき、携帯電話機に当該押下パターン対応の機能を設定するようにして構成される。
【００４９】
上記予め割り当てられている押下パターンは、携帯電話機１０Ｂの電気的な構成中のＲＡＭ２５Ｂ（図２）に登録されている。
また、携帯電話機１０Ｂに組み込まれている処理手順は、図８に示す通りである。
この構成を除くこの実施例の各部の構成は、第１実施例と同一構成であるので、それらの各部には図１及び図２と同一の参照符号を付してその説明を省略する。
【００５０】
次に、図１、図２及び図８乃至図１１を参照して、この実施例の動作について説明する。
この実施例では、携帯電話機１０Ｂは、開いた状態に置かれる（図１）。携帯電話機の押下パターンと携帯電話機に装備されている機能との対応関係は、予め、ＲＯＭ２５Ａに登録されている。
この携帯電話機１０Ｂにおける簡易設定モードの起動（図９）及びその報知は、第１実施例の携帯電話機１０におけるそれと同じである（図８のＳ１Ｂ、Ｓ２Ｂ）。
【００５１】
起動後に、押下パターン設定処理に入る。その押下パターン設定処理は、上記起動から５秒以内に、サイド入力キー１６とサイド入力キー２６とを（図８ではキーＡ又はキーＢとして示してある）予め決められたパターンで押下し始めることで開始される（図８のＳ３ＢのＹ）。上記起動から５秒を超える時間が経っても、サイド入力キー１６又はサイド入力キー２６の押下が行われない場合には、第１実施例と同様の手順で、簡易設定モードは終了する（図８のＳ３ＢのＮ、Ｓ９Ｂ、Ｓ１０Ｂ）。
【００５２】
サイド入力キー１６とサイド入力キー２６との予め決められたパターンでの押下が、１秒以内に順次に行われるとき（図８のＳ４ＢのＹ）、その押下されたキーの記憶をＲＡＭ２５Ｂの押下パターン記憶領域に行って（図８のＳ５Ｂ）次のキーの押下を待つ（図８のＳ４Ｂ）。
【００５３】
サイド入力キー１６とサイド入力キー２６との予め決められたパターンに従った順次の押下が、１秒を超える時間、経っても行われなかったとき（図８のＳ４ＢのＮ）、押下パターンの入力が終了したとして、その終了の報知を行う。その報知は、可視的報知として、例えば、主表示部１８の表示画面に押下パターンを表示すると同時に、音響的報知として、例えば、今終了した押下パターン対応の振動音をバイブレータ２０から行うと同時に、トーン音をスピーカー２２から放音する（図８のＳ６Ｂ）。
【００５４】
押下が終了したときの押下パターンが、設定しようとする機能に予め割り当てられ、ＲＯＭ２５Ａに登録された押下パターンと一致していなければ（図８のＳ７ＢのＮ）、サイド入力キー２６を押下して簡易設定モードの起動後の報知ステップに入った後（図８のＳ２Ｂ）、押下パターンの生成、そして生成された押下パターンが設定しようとする機能に予め割り当てられている押下パターンとなるまで、ステップＳ２Ｂ乃至ステップＳ７Ｂのループの処理を継続する。
【００５５】
生成した押下パターンが、設定しようとする機能対応の押下パターンと一致したならば（図８のＳ７ＢのＹ、図１０）、当該押下パターン対応の機能設定が、携帯電話機１０Ｂに実行される（図８のＳ８Ｂ、図１１）。
その実行された機能設定の確認の可視的報知が、主表示部１８の表示画面に行われると同時に、音響的報知が、バイブレータ２０から機能設定に対応する振動音により、若しくは、スピーカー２２から当該機能を設定した旨の音声ガイダンスにより行われる（図８のＳ９Ｂ）。
これらの報知が行われた後に、簡易設定モードは終了する（図８のＳ１０Ｂ）。
【００５６】
次に、「バイブレータＯＮ設定」の例を説明する。
簡易設定モードが起動され（図８のＳ１Ｂ）、簡易設定モードの合図がされ（図８のＳ２）、簡易設定モードの起動から５秒以内に（図８のＳ３ＢのＹ）、押下パターン生成キー１６（以下、Ａという）又は押下パターン生成キー２６（以下、Ｂという）を「Ａ→Ｂ→Ａ→Ａ」の順で順次押下する（図８のＳ４Ｂ、Ｓ５Ｂ）。
「Ａ→Ｂ→Ａ→Ａ」の順での押下が行われてから、１秒を超えて押下パターン生成キー１６及び２６のうちのいずれのキーの押下も行われないと、押下パターン設定処理は終了する（図８のＳ４ＢのＮ）。
【００５７】
そして、終了された押下パターン設定処理に対応する結果確認が、主表示部１８及びバイブレータ２０若しくはスピーカー２２によって使用者に報知される（図８のＳ６Ｂ）。
この報知により、押下パターンが設定しようとする機能に予め割り当てられた押下パターンになっているならば（図８のＳ７ＢのＹ）、押下パターン「Ａ→Ｂ→Ａ→Ａ」に対応する「バイブレータＯＮ設定」を実行する（図８のＳ８Ｂ）。
「バイブレータＯＮ設定」の完了が、主表示部１８及びバイブレータ２０若しくはスピーカー２２によって使用者に報知されて（図８のＳ９Ｂ）簡易設定モードは自動的に終了する（図８のＳ１０Ｂ）。
【００５８】
このように、この実施例の構成によれば、携帯電話機の操作し易い位置に２つのサイド入力キーを配設し、その２つのサイド入力キーを予め押下パターンで押下し、押下パターンが設定しようとする機能に予め割り当てられた押下パターンとなったと意識して押下パターン設定処理を終了させたが、その報知が携帯電話機のバイブレータ若しくはスピーカーから行われたとき、なお、押下パターンが設定しようとする機能に予め割り当てられた押下パターンになっていなければ、２つのキーによる新たな押下パターンの入力を試行させ、その試行によって押下パターンが設定しようとする機能に予め割り当てられた押下パターンになったならば、携帯電話機に押下パターン対応の機能を設定するようにしたので、携帯電話機のカウントキーを見ることなしに、並行して別の作業をしながら機能設定を携帯電話機に行いたい場合に、複雑なキー操作を要することなく機能設定を携帯電話機に簡易に設定することができる。
【００５９】
◇第４実施例
この発明の第４実施例である携帯電話機の外部構造、電気的な構成及び同携帯電話機の処理手順を示すフローチャートは、図７、図２及び図８と同じである。
この実施例の構成が、第３実施例のそれと大きく異なる点は、第２実施例と同様に、携帯電話機を折り畳んだ状態で、携帯電話機の機能設定を簡易に行えるようにした点である。
すなわち、この実施例の携帯電話機１０Ｃ（図２及び図７には図示せず）は、第３実施例のサイド入力キー１６，２６、バイブレータ２０及びスピーカー２２を、それぞれ、第４実施例においては、サイド入力キー３２，３６、バイブレータ３４及びスピーカー３８とし、第３実施例における主表示部１８を携帯電話機１０Ｃの背面表示部３０（図７）として配設し、第３実施例で主表示部１８に表示した内容の各々を背面表示部３０に表示させるようにして構成される。
この構成を除くこの実施例の各部の構成は、第３実施例と同一構成であるので、それらの各部には図２及び図７と同一の参照符号を付してその説明を省略する。
【００６０】
次に、図２、図７及び図８を参照して、この実施例の動作について説明する。
この実施例では、携帯電話機は、折り畳んだ状態に置かれる。
この携帯電話機１０Ｃにおける簡易設定モードの起動及びその報知は、第３実施例の携帯電話機１０Ｂにおけるそれとほぼ同じである（図８のＳ１Ｂ、Ｓ２Ｂ）。その差違は、簡易設定モードの起動にサイドキー３２を使用し、可視的報知を携帯電話機の背面表示部３０に行い、音響的報知をバイブレータ３４若しくはスピーカー３８で行うことである。
【００６１】
起動後の押下パターン設定処理の開始から押下パターンが設定しようとする機能に予め割り当てられた押下パターンと一致していない場合の処理、押下パターンが設定しようとする機能に予め割り当てられた押下パターンになった場合の処理、そして、その報知についても、第３実施例の携帯電話機におけるそれとほぼ同じである（図８のＳ３Ｂ、Ｓ４Ｂ、Ｓ５Ｂ、Ｓ６Ｂ、Ｓ７Ｂ）。その差違は、パターン入力キーにサイド入力キー３２，３６を使用し、可視的報知を携帯電話機の背面表示部３０に行うと同時に、音響的報知をバイブレータ３４若しくはスピーカー３８で行うことである。
【００６２】
押下パターンが設定しようとする機能に予め割り当てられた押下パターンと一致したならば（図８のＳ７ＢのＹ）、第３実施例の携帯電話機１０Ｂと同様に、当該押下パターンに対応する機能設定を実行し（図８のＳ８Ｂ）、その報知もして（図８のＳ９Ｂ）簡易設定モードを終了する（図８のＳ１０Ｂ）。
【００６３】
次に、「バイブレータＯＮ設定」の例を説明すると、この携帯電話機を閉じた状態での設定においても、第３実施例での携帯電話機を開いた状態で設定する場合とほぼ同じである。
その差違は、簡易設定モードの起動にサイド入力キー３２を用い、押下パターン生成キーとしてサイド入力キー３２及び３６を用いること、可視的報知に背面表示部３０が用いられ、音響的報知にバイブレータ３４若しくはスピーカ３８が用いられることである。
【００６４】
このように、この実施例の構成によれば、携帯電話機の操作し易い位置に２つのサイド入力キーを配設し、その２つのサイド入力キーを入力したい押下パターンで押下し、押下パターンが設定しようとする機能に予め割り当てられた押下パターンとなったと意識して押下パターン設定処理を終了させたが、その報知が携帯電話機のバイブレータ若しくはスピーカーから行われたとき、なお、押下パターンが設定しようとする機能に予め割り当てられた押下パターンになっていなければ、２つのサイド入力キーの新たな押下を試行させ、その試行によって押下パターンが設定しようとする機能に予め割り当てられた押下パターンになったならば、携帯電話機に押下パターン対応の機能を設定するようにしたので、携帯電話機を折り畳んだ状態でサイド入力キーを見ることなしに機能設定を携帯電話機に行いたい場合に、複雑なキー操作を要することなく機能設定を携帯電話機に簡易に設定することができる。
【００６５】
◇第５実施例
図１２は、この発明の第５実施例である携帯電話機の処理手順を示すフローチャートである。また、同携帯電話機の外部構造及び電気的な構成は、図１及び図２と同じである。
この実施例の構成が、第１実施例のそれと大きく異なる点は、携帯電話機を開いた状態で機能の設定を行う場合の押下回数設定処理の終了を１秒のタイマで行う代わりに、終了キーの押下で行うようにした点である。
【００６６】
すなわち、この実施例の携帯電話機１０Ｄ（図１及び図２には図示せず）は、第１実施例の携帯電話機１０と機構上終了キーとしてサイド入力キー１６を用いることに相違があり、カウントキーの押下が所定回数行われてその入力を終了させるのに終了キー１６を用いるようにして構成される。
また、携帯電話機１０Ｄの処理手順は、図１２に示す通りである。
この構成を除くこの実施例の各部の構成は、第１実施例と同一構成であるので、それらの各部には図１及び図２と同一の参照符号を付してその説明を省略する。
【００６７】
次に、図１、図２及び図１２を参照して、この実施例の動作について説明する。
携帯電話機１０Ｄは、開いた状態に置かれる。
携帯電話機１０Ｄへの簡易設定モードの設定及びその報知は、第１実施例と同じである（図１２のＳ１Ｄ、Ｓ２Ｄ）。
この報知後、自動的に押下回数設定処理に入る（図１２のＳ３Ｄ）。
【００６８】
押下回数設定処理が開始された後、終了キー１６の押下があったか否かが判定される（図１２のＳ４Ｄ）。
通常、カウントキー２４又は２６の押下回数が、設定しようとする機能に予め割り当てられた押下回数と一致するまで、終了キー１６の押下は行われないから（図１２のＳ４ＤのＮ）、カウントキー２４又は２６が押下され、押下の都度ＲＡＭ２５Ｂの押下回数記憶領域の更新が行われて行く（図１２のＳ５Ｄ）。
【００６９】
そして、押下回数が、設定しようとする機能に予め割り当てられた押下回数と一致したと操作者が意識したとき、終了キー１６が押下される（図１２のＳ４ＤのＹ）。
この押下は、押下回数の設定終了の報知を行う。この報知には、可視的報知、例えば、主表示部１８に図５に示すような押下回数確認の表示を行うと同時に、音響的報知、例えば、押下回数分のバイブレータ２０による押下回数対応の振動音若しくはスピーカー２２から「押下が何回行われました」という音声ガイダンスの放音を行って終了キー１６の押下を行ったときの押下回数を操作者に知らせる（図１２のＳ６Ｄ）。
【００７０】
この報知で知らされた押下回数が、設定しようとする機能に予め割り当てられた所定の押下回数と一致していないならば（図１２のＳ７ＤのＮ）、サイド入力キー２６を押下して簡易設定モードの起動後に行われる報知動作、そして新たな押下回数カウント処理に入る（図１２のＳ３Ｄ、Ｓ４Ｄ等）。
押下回数が、設定しようとする機能に予め割り当てられた所定の押下回数と一致しているならば（図１２のＳ７ＤのＹ）、当該押下回数に対応する機能の設定を実行する（図１２のＳ８Ｄ）。
そして、機能設定済みの可視的報知、例えば、主表示部１８に図６に示すような機能設定実行の表示を行うと同時に、音響的報知、例えば、バイブレータ２０による設定された機能対応の振動音若しくはスピーカ２２から「何々の機能が設定されました」という音声ガイダンスの放音を行って機能設定完了を操作者に知らせる（図１２のＳ９Ｄ）。
この報知後、簡易設定モードは、自動的に終了する（図１２のＳ１０Ｄ）。
【００７１】
次に、「バイブレータＯＮ設定」の例を説明する。
簡易設定モードが起動され（図１２のＳ１Ｄ）、簡易設定モードの合図がされ（図１２のＳ２）、簡易設定モードの起動後、カウントキー２４又は２６の押下を順次２回行う（図１２のＳ４Ｄ、Ｓ５Ｄ）。
カウントキー２４又は２６の順次の２回の押下が行われ、２回目の押下が行われてから終了キー１６を押下することによって、カウントキー押下回数設定が終了される（図１２のＳ４ＤのＹ）。
【００７２】
そして、設定されたカウントキー押下回数に対応する結果確認が、主表示部１８及びバイブレータ２０若しくはスピーカ２２によって使用者に報知される（図１２のＳ６Ｄ）。
この報知により、カウントキー押下回数が設定しようとする機能に予め割り当てられた押下回数になっているならば（図１２のＳ７ＤのＹ）、２回のカウントキー押下回数に対応する「バイブレータＯＮ設定」を実行する（図１２のＳ８Ｄ）。
「バイブレータＯＮ設定」の完了が、主表示部１８及びバイブレータ２０若しくはスピーカー２２によって使用者に報知されて（図１２のＳ９Ｄ）簡易設定モードは自動的に終了する（図１２のＳ１０Ｄ）。
【００７３】
このように、この実施例の構成によれば、携帯電話機の操作し易い位置にカウントキーを配設し、そのカウントキーを押下し、押下回数が設定しようとする機能に予め割り当てられた押下回数となったと意識して終了キーを押下したが、その報知を携帯電話機のバイブレータ若しくはスピーカーで行ったとき、なお、押下回数が設定しようとする機能に予め割り当てられた押下回数となっていないならば、新たなカウントキーの押下を試行させ、その試行によって押下回数が設定しようとする機能に予め割り当てられた押下回数になったならば、携帯電話機に押下回数対応の機能を設定するようにしたので、携帯電話機のカウントキーを見ることなしに並行して別の作業をしながら機能設定を携帯電話機に行いたい場合に、複雑なキー操作を要することなく機能設定を携帯電話機に簡易に設定することができる。
この実施例の設定は、押下間隔が所定時間を超えているとき押下回数カウント処理を終了させる第１実施例に比しより誤設定の発生を防止することができる。
また、押下回数カウント処理の終了を操作者のペースで行うことができる。
【００７４】
◇第６実施例
この発明の第６実施例である携帯電話機の外部構造、電気的な構成及び処理手順を示すフローチャートは、それぞれ、図７、図２及び図１２と同じである。
この実施例の構成が、第２実施例のそれと大きく異なる点は、携帯電話機を折り畳んだ状態で機能の設定を行う場合の押下回数設定処理の設定終了を１秒のタイマで行う代わりに、終了キーの押下で行うようにした点である。
【００７５】
すなわち、この実施例の携帯電話機１０Ｅ（図２及び図７には図示せず）は、第２実施例の携帯電話機１０Ａと機構上終了キーとしてサイド入力キー３２を用いることに相違があり、カウントキーの押下が所定回数行われてその入力を終了させるのに終了キー３２を用いるようにして構成される。
この構成を除くこの実施例の各部の構成は、第２実施例と同一構成であるので、それらの各部には図２及び図７と同一の参照符号を付してその説明を省略する。
【００７６】
次に、図２、図７及び図１２を参照して、この実施例の動作について説明する。
携帯電話機を折り畳んだ状態にする。
この状態における携帯電話機における簡易設定モードの起動及びその報知は、第２実施例の携帯電話機１０Ａにおけるそれとほぼ同じである（図１２のＳ１Ｄ、Ｓ２Ｄ）。その差違は、簡易設定モードの起動にサイド入力キー３２を使用し、可視的報知を携帯電話機１０Ａの背面表示部３０に行うと同時に、音響的報知を携帯電話機１０Ａに設けられたバイブレータ３４若しくはスピーカー３８で行うことである。
【００７７】
起動後の押下回数カウント処理の開始から押下回数が設定しようとする機能に予め割り当てられた所定の押下回数と一致していない場合の処理、終了キーの押下、そしてその報知については、第５実施例の携帯電話機１０Ｄにおけるそれとほぼ同じである（図１２のＳ３Ｄ、Ｓ４Ｄ、Ｓ５Ｄ、Ｓ６Ｄ、Ｓ７Ｄ）。その差違は、カウントキーにサイド入力キー３６を使用し、終了キーにサイド入力キー３２を使用し、可視的報知を携帯電話機１０Ａの背面表示部３０に行うと同時に、音響的報知を携帯電話機１０Ａに設けられたバイブレータ３４若しくはスピーカー３６で行うことである。
【００７８】
押下回数が、設定しようとする機能に予め割り当てられた所定の押下回数と一致しているならば（図１２のＳ７ＤのＹ）、第２実施例の携帯電話機１０Ａと同様に、当該押下回数に対応する機能を設定し（図１２のＳ８Ｄ）、その報知もして（図１２のＳ９Ｄ）簡易設定モードを終了する（図１２のＳ１０Ｄ）。
【００７９】
次に、「バイブレータＯＮ設定」の例を説明すると、この携帯電話機を折り畳んだ状態で機能を設定する場合においても、第６実施例のように携帯電話機を開いた状態で機能を設定する場合とほぼ同じである。
その差違は、簡易設定モードの起動にサイド入力キー３２を用い、カウントキーとしてサイド入力キー３６を用いること、可視的報知に背面表示部３０が用いられ、音響的報知にバイブレータ３４若しくはスピーカー３８が用いられることである。
【００８０】
このように、この実施例の構成によれば、携帯電話機の操作し易い位置にカウントキーを配設し、そのカウントキーを押下し、押下回数が設定しようとする機能に予め割り当てられた押下回数となったと意識して終了キーを押下したが、その報知を携帯電話機のバイブレータ若しくはスピーカーで行ったとき、なお、押下回数が設定しようとする機能に予め割り当てられた押下回数となっていないならば、新たなカウントキーの押下を試行させ、その試行によって押下回数が設定しようとする機能に予め割り当てられた押下回数になったならば、携帯電話機に押下回数対応の機能を設定するようにしたので、携帯電話機を折り畳んだ状態でカウントキーを見ることなしに機能設定を携帯電話機に行いたい場合に、複雑なキー操作を要することなく機能設定を携帯電話機に簡易に設定することができる。
この実施例の設定は、押下間隔が所定時間を超えているとき押下回数カウント処理を終了させる第１実施例に比しより誤設定の発生を防止することができる。
また、押下回数カウント処理の終了を操作者のペースで行うことができる。
【００８１】
◇第７実施例
図１３は、この発明の第７実施例である携帯電話機の処理手順を示すフローチャートである。この実施例の携帯電話機の外部構造及び電気的の概略構成は、図１及び図２と同じである。
この実施例の構成が、第３実施例のそれと大きく異なる点は、携帯電話機を開いた状態で機能を設定する場合における押下パターン設定処理の終了を１秒のタイマで行う代わりに、終了キーの押下で行うようにした点である。
【００８２】
すなわち、この実施例の携帯電話機１０Ｆ（図１及び図２には図示せず）は、第３実施例の携帯電話機と同様、第１実施例のサイド入力キー１６を終了キーとして用いることに相違があり、パターン入力キーの押下が所定の押下パターンで行われてその入力を終了させるのに終了キー１６の押下を用いるようにして構成される。
この実施例の携帯電話機１０Ｆの処理手順は、図１３に示す通りである。
この構成を除くこの実施例の各部の構成は、第３実施例と同一構成であるので、それらの各部には図１及び図２と同一の参照符号を付してその説明を省略する。
【００８３】
次に、図１、図２及び図１３を参照して、この実施例の動作について説明する。
携帯電話機１０Ｆは、開いた状態で置かれる。
携帯電話機１０Ｆへの簡易設定モードの設定及びその報知は、第３実施例とほぼ同じである（図１３のＳ１Ｆ、Ｓ２Ｆ）。
この報知後、自動的に押下パターン設定処理に入る（図１３のＳ３Ｆ）。
【００８４】
押下パターン設定処理が開始された後、終了キー１６の押下があったか否かが判定される（図１３のＳ４Ｆ）。
通常、サイド入力キー１６及び２６の押下によって生成される押下パターンが、設定しようとする機能に予め割り当てられた押下パターンと一致するまで、終了キー１６の押下は行われないから（図１３のＳ４ＦのＮ）、サイド入力キー１６及び２６が予め決められたパターンで押下され、いずれかのキーの押下の都度ＲＡＭ２５Ｂの押下パターン記憶領域の更新が行われて行く（図１３のＳ５Ｆ）。
【００８５】
そして、押下パターンが、設定しようとする機能に予め割り当てられた押下パターンと一致したと操作者が意識したとき、終了キー１６が押下される（図１３のＳ４ＦのＹ）。
この押下は、押下パターン設定処理終了の報知を行う。この報知には、可視的報知、例えば、主表示部１８に押下パターン確認の表示を行うと同時に、音響的報知、例えば、バイブレータ２０からの押下パターン対応の振動音の発生若しくはスピーカー２２から押下パターン対応のトーン音の放音を行って終了キー１６の押下を行ったときの押下パターンを操作者に知らせる（図１３のＳ６Ｆ）。
【００８６】
この報知で知らされた押下パターンが、設定しようとする機能に予め割り当てられた所定の押下パターンと一致していないならば（図１３のＳ７ＦのＮ）、サイド入力キー２６を押下して簡易設定モードの起動後に行われる報知動作、そして新たな押下パターン設定処理に入る（図１３のＳ３Ｆ、Ｓ４Ｆ等）。
押下パターンが、設定しようとする機能に予め割り当てられた所定の押下パターンと一致しているならば（図１３のＳ７ＦのＹ）、当該押下パターンに対応する機能の設定を実行する（図１３のＳ８Ｆ）。
そして、機能設定済みの可視的報知、例えば、主表示部１８に機能設定実行の表示を行うと同時に、音響的報知、例えば、バイブレータ２０から設定した機能対応の振動音若しくはスピーカー２２から設定した機能対応のトーン音の放音を行って機能設定終了を操作者に知らせる（図１３のＳ９Ｆ）。
この報知後、簡易設定モードは、自動的に終了する（図１３のＳ１０Ｆ）。
【００８７】
次に、「バイブレータＯＮ設定」の例を説明する。
簡易設定モードが起動され（図１３のＳ１Ｆ）、簡易設定モードの合図がされ（図１３のＳ２Ｆ）、簡易設定モードの起動後、押下パターン生成キー１６（以下、Ａという）又は押下パターン生成キー２６（以下、Ｂという）を「Ａ→Ｂ→Ａ→Ａ」の順で順次押下する（図１３のＳ４Ｆ、Ｓ５Ｆ）。
「Ａ→Ｂ→Ａ→Ａ」の順での押下が行われた後、終了キー１６の押下が行われ、押下パターン設定処理が終了される（図１３のＳ４ＦのＮ）。
【００８８】
そして、設定された押下パターン設定処理に対応する結果確認が、主表示部１８及びバイブレータ２０若しくはスピーカ２２によって使用者に報知される（図１３のＳ６Ｆ）。
この報知により、押下パターンがＯＫであるならば（図１３のＳ７ＦのＹ）、押下パターン「Ａ→Ｂ→Ａ→Ａ」に対応する「バイブレータＯＮ設定」を実行する（図１３のＳ８Ｆ）。
「バイブレータＯＮ設定」の完了が、主表示部１８及びバイブレータ２０若しくはスピーカー２２によって使用者に報知されて（図１３のＳ９Ｆ）簡易設定モードは自動的に終了する（図１３のＳ１０Ｆ）。
【００８９】
このように、この実施例の構成によれば、携帯電話機の操作し易い位置にパターン入力キーを配設し、そのパターン入力キーを押下し、押下パターンが設定しようとする機能に予め割り当てられた押下パターンとなったと意識して終了キーを押下したが、その報知を携帯電話機のバイブレータ若しくはスピーカーで行ったとき、なお、押下パターンが設定しようとする機能に予め割り当てられた押下パターンとなっていないならば、新たなパターン入力キーの押下を試行させ、その試行によって押下パターンが設定しようとする機能に予め割り当てられた押下パターンになったならば、携帯電話機に押下パターン対応の機能を設定するようにしたので、並行して別の作業をしながら携帯電話機に携帯電話機のパターン入力キーを見ないで機能設定を携帯電話機に行いたい場合に、複雑なキー操作を要することなく機能設定を携帯電話機に簡易に設定することができる。
この実施例の設定は、押下間隔が所定時間を超えているとき押下パターン設定処理を終了させる第１実施例に比して、誤設定の発生を一層防止することができる。
また、押下パターン設定処理の処理を操作者のペースで行うことができる。
【００９０】
◇第８実施例
この発明の第８実施例である携帯電話機の外部構造、電気的の構成及び処理手順を示すフローチャートは、図７、図２及び図１３と同じである。
この実施例の構成が、第４実施例のそれと大きく異なる点は、携帯電話機を折り畳んだ状態で機能を設定する場合の押下パターン設定処理の終了を１秒のタイマで行う代わりに終了キーの押下で行うようにした点である。
【００９１】
すなわち、この実施例の携帯電話機１０Ｇ（図２及び図７には図示せず）は、第４実施例の携帯電話機と機構上終了キーとしてサイド入力キー３２を用いるようにしたことに相違があり、パターン入力キーの押下が所定の押下パターンで行われてその入力を終了させるのに終了キー３２を用いるようにして構成される。
この構成を除くこの実施例の各部の構成は、第４実施例と同一構成であるので、それらの各部には図２及び図７と同一の参照符号を付してその説明を省略する。
【００９２】
次に、図２、図７及び図１３を参照して、この実施例の動作について説明する。
携帯電話機１０Ｇは、折り畳んだ状態に置かれる。
携帯電話機１０Ｇへの簡易設定モードの設定及びその報知は、第４実施例と同じである（図１３のＳ１Ｆ、Ｓ２Ｆ）。
この報知後、自動的に押下パターン設定処理に入る（図１３のＳ３Ｆ）。
【００９３】
押下パターン設定処理が開始された後、終了キー３２の押下があったか否かが判定される（図１３のＳ４Ｆ）。
通常、パターン入力キー３２及び３６の押下によって生成される押下パターンが、設定しようとする機能に予め割り当てられた押下パターンと一致するまで、終了キー４０の押下は行われないから（図１３のＳ４ＦのＮ）、パターン入力キー３２及び３６が所定のパターンで押下され、どちらかのキー押下の都度ＲＡＭ２５Ｂの押下パターン記憶領域の更新が行われて行く（図１３のＳ５Ｆ）。
【００９４】
そして、押下パターンが、設定しようとする機能に予め割り当てられた押下パターンと一致したと操作者が意識したとき、終了キー３２が押下される（図１３のＳ４ＦのＹ）。
この押下は、押下パターン設定処理終了の報知を行う。この報知には、可視的報知、例えば、背面表示部３０に押下パターン確認の表示を行うと同時に、音響的報知、例えば、バイブレータ３４から押下パターン対応の振動音若しくはスピーカー３８から押下パターン対応のトーン音の放音を行って終了キー４０の押下を行ったときの押下パターンを操作者に知らせる（図１３のＳ６Ｆ）。
【００９５】
この報知で知らされた押下パターンが、設定しようとする機能に予め割り当てられた所定の押下パターンと一致していないならば（図１３のＳ７ＦのＮ）、簡易設定モードの起動後に行われる報知動作、そして新たな押下パターン設定処理に入る（図１３のＳ３Ｆ、Ｓ４Ｆ等）。
押下パターンが、設定しようとする機能に予め割り当てられた所定の押下パターンと一致しているならば（図１３のＳ７ＦのＹ）、当該押下パターンに対応する機能の設定を実行する（図１３のＳ８Ｆ）。
そして、機能設定済みの可視的報知、例えば、背面表示部３０に機能設定実行の表示を行うと同時に、音響的報知、例えば、バイブレータ３４から機能設定対応の振動音若しくはスピーカー３８から「何々の機能が設定されました」という音声ガイダンスの放音を行って機能設定完了を操作者に知らせる（図１３のＳ９Ｆ）。
この報知後、簡易設定モードは、自動的に終了する（図１３のＳ１０Ｆ）。
【００９６】
次に、「バイブレータＯＮ設定」の例を説明すると、この携帯電話機を折り畳んだ状態で機能を設定する場合においても、第７実施例の携帯電話機において携帯電話機を開いた状態で機能を設定する場合とほぼ同じである。
その差違は、簡易設定モードの起動にサイド入力キー３２を用い、押下パターン生成キーとしてサイド入力キー３２及び３６を用いること、可視的報知に背面表示部３０が用いられ、音響的報知にバイブレータ３４若しくはスピーカー３８が用いられることである。
【００９７】
このように、この実施例の構成によれば、携帯電話機の操作し易い位置にパターン入力キーを配設し、そのパターン入力キーを押下し、押下パターンが設定しようとする機能に予め割り当てられた押下パターンとなったと意識して終了キーを押下したが、その報知を携帯電話機のバイブレータ若しくはスピーカーで行ったとき、なお、押下パターンが設定しようとする機能に予め割り当てられた押下パターンとなっていないならば、新たなパターン入力キーの押下を試行させ、その試行により押下パターンが設定しようとする機能に予め割り当てられた押下パターンになったならば、携帯電話機に押下パターン対応の機能を設定するようにしたので、携帯電話機を折り畳んだ状態で機能設定を携帯電話機に行いたい場合に、複雑なキーを要することなく機能設定を携帯電話機に簡易に設定することができる。
この実施例の設定は、押下間隔が所定時間を超えているとき押下パターン設定処理を終了させる第４実施例に比して、誤設定の発生を一層防止することができる。
また、押下パターン設定処理の終了を操作者のペースで行うことができる。
【００９８】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、上記のいずれの実施例も、携帯電話機において実施する例を示したが、その他の情報端末装置、例えば、キーを用いて機能設定を必要とする固定電話機、プリンタ等においても、この発明を実施することができる。
【００９９】
押下回数又は押下パターンが、設定しようとする機能に予め割り当てられた押下回数又は押下パターンになったか否かの判断を、押下された押下回数又は押下パターンと登録されている押下回数又は押下パターンとの比較で行うようにしてもよい。
また、特に、表示部の視認をせずに、機能設定をしたいという要求が高いときは、主表示部１８、背面表示部３０への表示を上記判断に用いなくてもよい。
また、押下パターンの発生に用いられるキー数は、３等であってもよい。
また、第１実施例乃至第４実施例における５秒及び１秒の設定時間は、他の適宜の時間としてもよい。
【０１００】
さらには、ＲＡＭ２５Ｂの押下回数記憶領域に記憶された押下回数と設定しようとする機能に予め割り当てられた押下回数との一致があったとき、処理ステップが簡易設定モードの起動後の状態から開始するようにしてもよい。
このことは、押下パターンについても同じである。
さらには、上記のいずれの変更においても、簡易設定モードの設定における合図は、上記設定から十分な時間経過後に、キーの押下動作をするようにすれば、必ずしも設けなくてもよい。
さらには、ＲＯＭに記憶するプログラムを、必要に応じて、ネットワークからダウンロードするようにしてもよい。
【０１０１】
【発明の効果】
以上説明したように、この発明の構成によれば、情報端末装置の操作し易い位置に機能設定キーを配設し、その機能設定キーを押下して生成された設定指示が正しくなされたか否かを判断し、設定指示が正しくなされなかったとき、その旨を知らせる第２の報知音又は第２の報知振動を出力して再度の設定指示を待ち受ける状態にし、その再度の設定指示が正しく行われたとき、情報端末装置に設定指示対応の機能を設定するようにしたので、情報端末装置の機能設定キーを見ることなしに、並行して別の作業をしながら機能設定を情報端末装置に行いたい場合の機能設定を情報端末装置に、複雑なキー操作を要することなく、簡易に設定することができる。
【０１０２】
上記設定指示の入力の終了を終了キーの押下により生じさせれば、より誤設定の発生を防止することができるし、設定指示の入力を使用者のペースで行うことができる。
【図面の簡単な説明】
【図１】この発明の第１実施例である携帯電話機の外部構造を示す図である。
【図２】同携帯電話機の電気的な構成の概略を示す図である。
【図３】同携帯電話機の処理手順を示すフローチャートである。
【図４】同携帯電話機の簡易設定モード起動時における表示画面の状態を示す図である。
【図５】同携帯電話機の簡易設定モードで行われる押下回数カウント処理の押下回数確認時における表示画面の状態を示す図である。
【図６】同携帯電話機の簡易設定モードで処理される機能設定時における表示画面の状態を示す図である。
【図７】この発明の第２実施例である携帯電話機の外部構造を示す図である。
【図８】この発明の第３実施例である携帯電話機の処理手順を示すフローチャートである。
【図９】同携帯電話機の簡易設定モード起動時における表示画面の状態を示す図である。
【図１０】同携帯電話機の押下パターン設定処理での押下パターン確認時における表示画面の状態を示す図である。
【図１１】同携帯電話機の機能設定時における表示画面の状態を示す図である。
【図１２】この発明の第５実施例である携帯電話機の処理手順を示すフローチャートである。
【図１３】この発明の第７実施例である携帯電話機の処理手順を示すフローチャートである。
【符号の説明】
１０、１０Ａ、１０Ｂ、１０Ｃ、１０Ｄ、１０Ｅ、１０Ｆ、１０Ｇ　　　携帯電話機（情報端末装置）
１６、２６、３２、３６　　　サイド入力キー（機能設定キー）
１８、３０　　　表示部８
２０、３４　　　バイブレータ（設定完了／未完了手段の一部）
２２、３８　　　スピーカー（設定完了／未完了手段の一部）
２３　　　制御回路（判断手段の一部、設定完了／未完了手段の残部）
２４　　　入力キー（機能設定キー）
２５　　　メモリ（判断手段の残部）
【図１】
2004140708.tif 000003
【図２】
2004140708.tif 000004
【図３】
2004140708.tif 000005
【図４】
2004140708.tif 000006
【図５】
2004140708.tif 000007
【図６】
2004140708.tif 000008
【図７】
2004140708.tif 000009
【図８】
2004140708.tif 000010
【図９】
2004140708.tif 000011
【図１０】
2004140708.tif 000012
【図１１】
2004140708.tif 000013
【図１２】
2004140708.tif 000014
【図１３】
2004140708.tif 000015